(57)【要約】【課題】車両用シートにおいて、シートの薄型化を実現する上で、送風ファンの厚さがシートの厚みを決定する要因の一つとならないような、比較的容量が小さい送風ファンを使えるようにする。【解決手段】送風ファンと、この送風ファンから送り出された空気の通路を形成する送風チャンバーと、送風チャンバーを挟み込み送風用チャンバーから送られた空気を通すための穴が複数の箇所に形成されたウレタンパッドとを備えた車両用シートにおいて、送風用チャンバーを、ウレタンパッドの穴が形成された複数の箇所を含む領域を面状に覆うように形成した。【選択図】図２
2019162948.tif 000002
【特許請求の範囲】
【請求項１】
送風ファンと、
前記送風ファンから送り出された空気の通路を形成する送風用チャンバーと、
前記送風用チャンバーを挟み込み前記送風用チャンバーから送られた空気を通すための穴が複数の箇所に形成されたウレタンパッドと
を備えた車両用シートであって、
前記送風用チャンバーは、前記ウレタンパッドの前記穴が形成された前記複数の箇所を含む領域を面状に覆うように形成されていることを特徴とする車両用シート。
【請求項２】
請求項１記載の車両用シートであって、前記送風用チャンバーは、前記車両用シートに着座した搭乗者に近い側の上面側チャンバーと前記搭乗者から前記上面側チャンバーよりも遠い側に前記上面側チャンバーと対向して設けられた下面側チャンバーとを備え、前記上面側チャンバー又は前記下面側チャンバーには複数の突起状の部材が形成されており、前記上面側チャンバーと前記下面側チャンバーとの前記対向する面の間隔が前記複数の突起状の部材で維持されていることを特徴とする車両用シート。
【請求項３】
請求項２記載の車両用シートであって、前記送風用チャンバーの前記下面側チャンバーに前記送風ファンが取り付けられていることを特徴とする車両用シート。
【請求項４】
請求項３記載の車両用シートであって、前記ウレタンパッドには、前記下面側チャンバーに取り付けた前記送風ファンを収納する穴が形成されていることを特徴とする車両用シート。
【請求項５】
請求項２記載の車両用シートであって、前記上面側チャンバーと前記下面側チャンバーとは、前記車両用シートに着座した前記搭乗者の体の輪郭に合わせた形状に成形された樹脂で形成されていることを特徴とする車両用シート。
【請求項６】
送風ファンと、
前記送風ファンから送り出された空気の通路を形成する送風用チャンバーと、
前記送風用チャンバーを挟み込み前記送風用チャンバーから送られた空気を通すための穴が複数の箇所に形成されたウレタンパッドと
を備えた車両用シートであって、
前記送風用チャンバーは、上面側チャンバーと前記上面側チャンバーと対向して設けられた下面側チャンバーとを有し、前記上面側チャンバー又は前記下面側チャンバーには複数の突起状の部材が形成されており、前記上面側チャンバーと前記下面側チャンバーとの前記対向する面の間隔が前記複数の突起状の部材で維持されていることを特徴とする車両用シート。
【請求項７】
請求項６記載の車両用シートであって、前記送風用チャンバーの前記上面側チャンバーは、前記ウレタンパッドの前記穴が形成された前記複数の箇所を含む領域を面状に覆うように形成されていることを特徴とする車両用シート。
【請求項８】
請求項６記載の車両用シートであって、前記上面側チャンバー又は前記下面側チャンバーの前記複数の突起状の部材が形成されている部分は、樹脂で形成されていることを特徴とする車両用シート。
【請求項９】
請求項８記載の車両用シートであって、前記上面側チャンバー又は前記下面側チャンバーの前記突起状の部材が形成されている前記複数の部分、及び、前記ウレタンパッドに形成された前記穴と重なる位置に形成された前記上面側チャンバーの穴の周辺の部分はそれぞれ樹脂で形成されており、前記樹脂で形成された複数の部分の間が柔軟な部材で接続されていることを特徴とする車両用シート。
【請求項１０】
請求項８記載の車両用シートであって、前記上面側チャンバー及び前記下面側チャンバーは樹脂で形成されており、前記上面側チャンバー又は前記下面側チャンバーの前記突起状の部材が形成されている前記複数の部分、及び、前記ウレタンパッドに形成された前記穴と重なる位置に形成された前記上面側チャンバーの穴の周辺の部分の間における前記樹脂の厚さが前記突起状の部材が形成されている前記複数の部分、及び、前記上面側チャンバーの前記穴の周辺の部分の前記樹脂よりも薄く形成されていることを特徴とする車両用シート。
【発明の詳細な説明】
【技術分野】
【０００１】
本発明は、車両用のシートに関する。
【背景技術】
【０００２】
車両用シートには、送風ファンを備えて、この送風ファンから送られた空気をパッドの内部に形成されたダクトを通して、シートクッションの表面やシートバックの表面から排出させて、着座面の温度を調整する機能を備えたものがある。
【０００３】
このような構成を備えたシートバックについて、例えば特許文献１には、一対の分割型からなり、ダクト経路にエア導入口とエア噴出口とを有する配風用ダクトがセットされ、発泡原料の注入及び型閉じを経て、ダクトを埋設してシートパッドを発泡成形するダクト入りシートパッド用発泡型であって、一の前記分割型の型面で、エア導入口又はエア噴出口に対応する部位に半球状の突部が設けられ、両分割型の型閉じにより、型内にセットされたダクトに係るエア導入口内又はエア噴出口内へ突部が入り込んで、そのエア導入口又はエア噴出口64を塞ぐようにして、ダクト経路にエア導入口とエア噴出口がある配風用ダクトを埋設してシートパッドを一体発泡成形する際、発泡原料がエア導入口やエア噴出口からダクト内に侵入するのを阻止できるようにしたダクト入りシートパッド用発泡型について記載されている。
【０００４】
また、特許文献２には、排気用ファンから、取付けブラケットを介してクッション部材に送風する構成について記載されている。
【先行技術文献】
【特許文献】
【０００５】
【特許文献１】特開２０１２−１０５８１６号公報
【特許文献２】特開２００３−１６５３２５号公報
【発明の概要】
【発明が解決しようとする課題】
【０００６】
車両用シートのニーズの一つとして、シートを薄型化して車内の空間をできるだけ広くするようにすることがある。このシートを薄型化する上では、シートバックを空調するためにシートバック側に取り付けられた送風ファンがシートの厚みを決める要因の一つになっている。
【０００７】
シートバック側に取り付けられた空調用の送風ファンから送られた空気は、特許文献１に記載されているように、シートバックの内部に配置されたダクトを通ってシートパッドに形成された空気噴出し穴を通ってシートバックの表面に噴出される構成となっている。
【０００８】
このような構成においては、シートバックの各部から空気を噴出させるために、ダクトには細長い管路が形成されている。このような細長い管路の先端部分付近からもシートパッドに形成された空気噴出し穴から十分に空気を噴出させるようにするためには、送風ファンの容量をある程度大きくしなければならない。
【０００９】
このような容量の大きい送風ファンを用いた場合、特許文献２に記載されているように、取付けブラケットを介して排気用ファンからクッション部材に形成された貫通穴に送風するような構成となり、送風ファンの大きさ（厚さ）がシートを薄型化する上で、シートの厚みを決定する要因の一つになってしまう。
【００１０】
本発明は、上記したような従来技術の課題を解決して、シートの薄型化を実現する上で、送風ファンの厚さがシートの厚みを決定する要因の一つとならないような、比較的容量が小さい送風ファンを使えるような車両用シートを提供するものである。
【課題を解決するための手段】
【００１１】
上記した課題を解決するために、本発明では、送風ファンと、この送風ファンから送り出された空気の通路を形成する送風用チャンバーと、この送風用チャンバーを挟み込み送風用チャンバーから送られた空気を通すための穴が複数の箇所に形成されたウレタンパッドとを備えた車両用シートにおいて、送風用チャンバーを、ウレタンパッドの穴が形成された複数の箇所を含む領域を面状に覆うように形成した。
【００１２】
また、上記した課題を解決するために、本発明では、送風ファンと、この送風ファンから送り出された空気の通路を形成する送風用チャンバーと、送風用チャンバーを挟み込み送風チャンバーから送られた空気を通すための穴が複数の箇所に形成されたウレタンパッドとを備えた車両用シートにおいて、送風用チャンバーを、上面側チャンバーとこの上面側チャンバーと対向して設けられた下面側チャンバーとを有し、上面側チャンバー又は下面側チャンバーには複数の突起状の部材が形成されており、上面側チャンバーと下面側チャンバーとの対向する面の間隔が複数の突起状の部材で維持されるように構成した。
【発明の効果】
【００１３】
本発明によれば、送風ファンから送り出された空気をシートの表面から噴出させるためにシートの内部に形成された送風用の通路を空気抵抗ができるだけ小さくなるような構造とすることにより、送風ファンの容量が従来と比べて小さく厚みの薄い小型の送風ファンを採用することを可能にし、シートを薄型化することができるようになった。
【図面の簡単な説明】
【００１４】
【図１】本発明に係る車両用シートの外観を示す車両用シートの斜視図である。
【図２】本発明の実施例１に係る車両用シートのシートバックの図１におけるＡ−Ａ断面矢視図である。
【図３】本発明の実施例１に係る車両用シートのシートバックの図２におけるＢ部を拡大した断面図である。
【図４】本発明の実施例１に係る車両用シートのシートバックの上面側ウレタンパッドの斜視図である。
【図５】本発明の実施例１に係る車両用シートのシートバックの送風用チャンバーのうち上面側チャンバの斜視図である。
【図６】本発明の実施例１に係る車両用シートのシートバックの送風用チャンバーのうち下面側チャンバの斜視図である。
【図７】本発明の実施例１に係る車両用シートのシートバックの送風用チャンバーの端部付近の断面図である。
【図８】本発明の実施例１に係る車両用シートのシートバックの下面側ウレタンパッドの斜視図である。
【図９】本発明の実施例１に係る車両用シートのシートバックの送風用チャンバーの上面側チャンバに１対の穴３３１４と３３１５とを複数個所に設けた状態を示す上面側チャンバの斜視図である。
【図１０】本発明の実施例１に係る車両用シートのシートバックにおいて、送風用チャンバーの上面側チャンバに設けた１対の穴３３１４と３３１５との間の部分に上面側ウレタンパッド３１の表面を覆う表皮部材３１２の縫合部分３１３を吊り込むための吊り込み部材３１４を取り付けた状態を示す車両用シートのシートバックの部分断面図である。
【図１１】本発明の実施例２に係る車両用シートのシートバックの送風用チャンバーの断面図である。
【図１２】本発明の実施例２に係る車両用シートのシートバックの送風用チャンバーの平面図である。
【図１３】本発明の実施例３に係る車両用シートのシートバックの送風用チャンバーの断面図である。
【図１４】本発明の実施例３に係る車両用シートのシートバックの送風用チャンバーの平面図である。
【発明を実施するための形態】
【００１５】
本発明は、送風ファンから送り出された空気をシートの表面から噴出させるためにシートの内部に形成された送風用の通路（従来のダクトに相当）を、空気抵抗ができるだけ小さくなるような構造にしたものである。これにより、送風ファンの容量を従来と比べて小さくすることを可能にし、従来と比べて厚みの薄い小型の送風ファンを採用することを可能にしたものである。これにより、シートを薄型化することを可能にした。
【００１６】
以下、本発明の実施の形態を、図を用いて説明する。なお、本発明は以下に説明する実施例に限定されるものではなく，様々な変形例が含まれる。下記に説明する実施例は本発明を分かりやすく説明するために詳細に説明するものであり，必ずしも説明した全ての構成を備えるものに限定されるものではない。また，ある実施例の構成の一部を他の実施例に置き換えることが可能であり，また，ある実施例の構成に他の実施例を加えることも可能である。また，各実施例の構成の一部について，他の構成の追加・削除・置換をすることが可能である。
【実施例１】
【００１７】
本発明に係る車両用シート１の外観を図１に示す。本発明に係る車両用シート１は、搭乗者が着座するシートクッション２、シートクッション２に着座した搭乗者が背をもたれかけるシートバック３、搭乗者の頭部を支えるヘッドレスト４を備え、シートクッション２の両側のサイドにはサイドサポート５が形成されている。
【００１８】
図１におけるシートバック３のＡ−Ａ断面の矢視図を図２に示す。図２には、シートバックの断面構造のうち、本実施例に係るシートバックを構成するウレタンパッドの部分について示し、その他の構成については省略し、簡略化して示している。
【００１９】
図２に示した構成において、３１は搭乗者の背中が触れるシートバック３の上面側ウレタンパッド、３２は下面側ウレタンパッドで、この上面側ウレタンパッド３１と下面側ウレタンパッド３２との間に送風用のチャンバー３３が挟み込まれた構成を有している。また、下面側ウレタンパッド３２には穴状の窓部３２１が形成されており、この窓部において送風ファン３４が送風用のチャンバー３３と接続されている。
【００２０】
図２におけるＢの丸で囲んだ部分の詳細を図３に示す。上面側ウレタンパッド３１と下面側ウレタンパッド３２とで挟まれた送風用のチャンバー３３は、上面側チャンバー３３１と下面側チャンバー３３２と形成され、上面側チャンバー３３１と下面側チャンバー３３２との間は、上面側チャンバー３３１に形成されたボス３３１２によって一定の間隔が保たれている。
【００２１】
図４には、上面側ウレタンパッド３１の斜視図を示す。上面側ウレタンパッド３１には、送風ファン３４から送り出された空気を、着座した搭乗者の背中の側に吹き出すための穴である貫通穴３１１が多数形成されている。
【００２２】
図５には、上面側チャンバー３３１の斜視図を示す。上面側チャンバー３３１には、上面側ウレタンパッド３１に形成された全ての貫通穴３１１をカバーするような形状を有しており、上面側ウレタンパッド３１側の全ての貫通穴３１１に対応する位置に送風穴３３１１が形成されている。即ち、上面側チャンバー３３１は、特許文献１に記載されているような枝分れした複数の送風用の通路を有する形ではなく、上面側ウレタンパッド３１側に形成された全ての貫通穴３１１が形成された領域をカバーするような、広い面の形状に形成されている。
【００２３】
また、上面側チャンバー３３１は、着座した搭乗者がシートバック３に背中をもたれかけたときの搭乗者の背中の形状に添った形に湾曲した形状を有している。更に、図５における上面側チャンバー３３１の裏面側には、図３に示したようなボス３３１２が複数の箇所に形成されている。
【００２４】
なお、ボス３３１２は、下面側チャンバー３３２の側に形成しても良い。更に、ボス３３１２を、上面側チャンバー３３１の側と下面側チャンバー３３２の側とに形成しても良い。また、ボス３３１２の断面形状は全て同じである必要はない。例えば、比較的大きな力が係る部分では大きな断面積を有して、比較的大きな力がかかっても上面側チャンバー３３１と下面側チャンバー３３２との間隔を維持できるようにし、比較的小さな力しかかからない部分は断面積を小さくして流通する空気に対する抵抗が小さくなるように形成しても良い。
【００２５】
上面側チャンバー３３１の上面と接する上面側ウレタンパッド３１の側の面は、上面側チャンバー３３１の上面とほぼ同じ曲面形状に形成されている。
【００２６】
図６には、下面側チャンバー３３２の斜視図を示す。下面側チャンバー３３２は上面側チャンバー３３１とほぼ同じ形状を有しており、送風ファンを取り付けるための穴３３２１が形成されている。
【００２７】
上面側チャンバー３３１と下面側チャンバー３３２とは、樹脂部品であって、モールドにより成形される。図７に上面側チャンバー３３１と下面側チャンバー３３２と組み合わせた状態における端部付近を示す。上面側チャンバー３３１の端部３３１３が下面側チャンバー３３２の側に延びて、下面側チャンバー３３２を嵌め込むような形状になっている。下面側チャンバー３３２を上面側チャンバー３３１に嵌め込んだ状態で、上面側チャンバー３３１に形成された複数のボス３３１２が下面側チャンバー３３２に当たる。
【００２８】
上面側チャンバー３３１と下面側チャンバー３３２との間の送風部分は、上面側ウレタンパッド３１の貫通穴３１１が形成された複数の領域を面状に覆う上面側チャンバー３３１と下面側チャンバー３３２の幅方向全体に亘って形成され、比較的大きな断面積が確保されている。これにより、特許文献１又は２に記載されている構成と比べて、送風抵抗を比較的小さくすることができる。この上面側チャンバー３３１と下面側チャンバー３３２との間の送風部分は、上面側チャンバー３３１に形成された複数のボス３３１２で間隔が保たれるので、着座した搭乗者がシートバック３に背をもたれた状態でも、上面側チャンバー３３１と下面側チャンバー３３２との間に形成された空間（送風部分）は潰されることがない。その結果、送風抵抗を従来の断面積が比較的小さい送風用ダクトを用いた場合と比べて小さくすることができるので、送風ファン３４として、従来と比べて小型のものを採用することができる。
【００２９】
このように、送風ファン３４として従来と比べて比較的小型のものを採用できるようにしたことにより、特許文献２に記載されているような取付け部ラケットを用いずに、送風ファン３４を、下面側チャンバー３３２に直接、又は取付け部材を介して取り付けることができるようになる。
【００３０】
図８には、下面側ウレタンパッド３２の斜視図を示す。下面側ウレタンパッド３２の上面は、下面側ウレタンパッド３２が接する下面側チャンバー３３２の下面の形状と同様な形状に成形されている。また、下面側ウレタンパッド３２には、下面側チャンバー３３２に取付けた送風ファン３４と干渉しないように、窓部３２１が形成されている。
【００３１】
このように、下面側ウレタンパッド３２に形成した窓部３２１の内部で送風ファン３４を下面側チャンバー３３２に直接取り付けることができるようにしたことにより、図２の断面図に示したように、送風ファン３４を下面側ウレタンパッド３２に埋め込んだ形になり、少なくとも下面側ウレタンパッド３２の厚み分だけシートバック３を薄型化することができる。
【００３２】
ここで、図９に示すように、上面側チャンバー３３１に１対の穴３３１４と３３１５とを複数個所に設け、図１０に示すように、上面側ウレタンパッド３１の表面を覆う表皮部材３１２の縫合部分３１３を吊り込むための吊り込み部材３１４を取り付けるようにしてもよい。このような構成とすることにより、従来上面側ウレタンパッド３１の中に埋め込んでいた吊り込み部材３１４を取り付けるためのワイヤを無くすことができる。
【００３３】
本実施例によれば、シートバックを構成するウレタンパッドの内部の送風路の断面積を大きくして送風抵抗を低減したことにより、従来と比べて比較的小型の送風ファンを採用することが可能になり、シートバックの厚みを低減することができるようになった。
【実施例２】
【００３４】
本発明の第２の実施例を、図１１及び図１２を用いて説明する。  
本実施例においては、実施例１で説明した、樹脂材料をモールドにより成形した上面側チャンバー３３１と下面側チャンバー３３２とに代えて、図１１（ａ）に示すような、上面側チャンバー４３１と下面側チャンバー４３２とを用いる。
【００３５】
本実施例における上面側チャンバー４３１は、実施例１で説明した送風穴３３１１が形成される領域及びボス３３１２が形成される領域と、それらが形成されない領域とに分ける。このうち、送風穴４３１３が形成される領域及びボス４３１４が形成される領域は、実施例１の場合と同様に樹脂をモールドして形成した樹脂部材４３１１を用いる。一方、送風穴３３１１又はボス３３１２が形成されない領域については、エラストマーなどの柔軟な部材４３１２で形成し、樹脂をモールドすることにより成形した部材と接続する。
【００３６】
下面側チャンバー４３２は、上面側チャンバー４３１の樹脂部材４３１１に対向する領域を、樹脂をモールドして形成した樹脂部材４３２１で形成し、上面側チャンバー４３１のエラストマーなどの柔軟な部材４３１２で形成した領域に対抗する領域をエラストマーなどの柔軟な部材４３２２で形成する。
【００３７】
これにより、図１１の（ａ）に示すような断面構造を有するチャンバー４３０が形成される。このチャンバー４３０は、実施例１で説明したチャンバー３３の場合と異なり、上面側チャンバー４３１と下面側チャンバー４３２とを平坦な形状に成形する。
【００３８】
図１２には、図１１の（ａ）の状態における上面側チャンバー４３１の一部分の平面図を示す。上面側チャンバー４３１は、送風穴４３１３またはボス４３１４が形成された樹脂をモールドして形成した樹脂部材４３１１が、エラストマーなどの柔軟な部材４３１２で接続された構造を有している。
【００３９】
このような構造のチャンバー４３０を用いたシートバック３に搭乗者が背をもたれかけた場合、チャンバー４３０は、図１１の（ｂ）に示すように、柔軟な部材４３１２で形成された領域が変形して、搭乗者の背中に沿った形状に変形する。
【００４０】
本実施例によれば、シートバック３に搭乗者が背をもたれかけても、上面側チャンバー４３１と下面側チャンバー４３２とが、ボス４３１４の高さ分の間隔を保った状態で搭乗者の背中に沿った形状に変形するので、搭乗者の違和感を無くすことができると共に、従来と比べて比較的小型の送風ファンを採用することが可能になり、シートバックの厚みを低減することができるようになった。
【実施例３】
【００４１】
本実施例では、実施例２で説明したエラストマーなどの柔軟な部材４３１２に代えて、樹脂をモールドして形成した樹脂部材４３２１と同じ材料を用いて薄く形成し、この部分に柔軟性を持たせた場合について説明する。
【００４２】
図１３に、本実施例に係る上面側チャンバー５３１と下面側チャンバー５３２との断面図を、図１４に上面側チャンバー５３１の一部分の平面図を示す。本実施例に係る上面側チャンバー５３１は、樹脂をモールドして形成した樹脂部材５３１１で形成されており、送風穴５３１３またはボス５３１４が形成されている部分以外の部分に、薄肉化した部分５３１２が形成されている。下面側チャンバー５３２にも、樹脂をモールドして形成した樹脂部材５３２１のうち、上面側チャンバー５３１の薄肉化した部分５３１２に対向する位置に、薄肉化した部分５３２２が形成されている。
【００４３】
このような構造のチャンバー５３０を用いたシートバック３に搭乗者が背をもたれかけた場合、チャンバー５３０は、薄肉化した部分５３１２及び５３２２形成された領域が変形して、搭乗者の背中に沿った形状に変形する。
【００４４】
本実施例によれば、シートバック３に搭乗者が背をもたれかけても、上面側チャンバー５３１と下面側チャンバー５３２とが、ボス５３１４の高さ分の間隔を保った状態で搭乗者の背中に沿った形状に変形するので、搭乗者の違和感を無くすことができると共に、従来と比べて比較的小型の送風ファンを採用することが可能になり、シートバックの厚みを低減することができるようになった。
【００４５】
上記した実施例１乃至３は、シートバック３に本発明を適用した場合について説明したが、シートクッション２に適用することもできる。
【００４６】
以上、本発明者によってなされた発明を実施例に基づき具体的に説明したが、本発明は前記実施例に限定されるものではなく、その要旨を逸脱しない範囲で種々変更可能であることは言うまでもない。例えば、上記した実施例は本発明を分かりやすく説明するために詳細に説明したものであり、必ずしも説明した全ての構成を備えるものに限定されるものではない。また、各実施例の構成の一部について、他の構成の追加・削除・置換をすることが可能である。
【符号の説明】
【００４７】
１・・・車両用シート    ２・・・シートクッション    ３・・・シートバック    ４・・・ヘッドレスト４    ５・・・サイドサポート    ３１・・・上面側ウレタンパッド    ３２・・・下面側ウレタンパッド    ３３、４３０，５３０・・・チャンバー    ３４・・・送風ファン    ３２１・・・窓部    ３３１・・・上面側チャンバー    ３３２・・・下面側チャンバー    ３３１１・・・送風穴    ３３１２・・・ボス    ４３１１、４３２１・・・樹脂部材    ４３１２、４３２２・・・柔軟な部材    ５３１１・・・樹脂部材    ５３１２・・・薄肉化した部分。
【図１】
2019162948.tif 000003
【図２】
2019162948.tif 000004
【図３】
2019162948.tif 000005
【図４】
2019162948.tif 000006
【図５】
2019162948.tif 000007
【図６】
2019162948.tif 000008
【図７】
2019162948.tif 000009
【図８】
2019162948.tif 000010
【図９】
2019162948.tif 000011
【図１０】
2019162948.tif 000012
【図１１】
2019162948.tif 000013
【図１２】
2019162948.tif 000014
【図１３】
2019162948.tif 000015
【図１４】
2019162948.tif 000016